(57)【要約】      （修正有）【課題】ケーブル間の信号の干渉を低減したＵＳＢケーブルを提供する。【解決手段】ＵＳＢケーブル８０ａは、送信用の信号ケーブル３２Ｔａ、３２Ｔｂと、受信用の信号ケーブル３２Ｒａ、３２Ｒｂと、ＵＳＢ電源ケーブル１４ａ、１４ｂとが、それぞれ個別の第１ケーブル５０ａ、第２ケーブル５０ｂ、第３ケーブル５２で接続される。これにより、相互の信号干渉が低減されノイズの少ない高品質な信号伝達を行うことができる。また、このＵＳＢケーブル８０ａではＵＳＢ２．０用の信号端子Ｔ２、Ｔ３は接続しない。これにより、接続するケーブルの本数が３本となり一般的に流通しているＵＳＢ接続端子を利用しての実施が可能となる。【選択図】図１
0003210501.tif 000002
【実用新案登録請求の範囲】
【請求項１】
両端にＵＳＢ接続端子を備えたＵＳＢ３．０用のＵＳＢケーブルにおいて、
前記両端のＵＳＢ接続端子間を、
ＵＳＢ３．０用の２対の信号ケーブルをそれぞれ一対ずつ有する第１ケーブルと第２ケーブルと、ＵＳＢ電源ケーブルを有する第３ケーブルと、で接続し、
ＵＳＢ２．０用の信号ケーブルを備えないことを特徴とするＵＳＢケーブル。
【請求項２】
第１ケーブルと第２ケーブルとを網線でシールドされた２芯ケーブルでそれぞれ構成し、前記網線の両端をＵＳＢ接続端子のＵＳＢ３．０用シールド端子に接続することを特徴とする請求項１記載のＵＳＢケーブル。
【請求項３】
一方の側のＵＳＢ接続端子を、
第１ケーブルと第２ケーブルとが接続した信号用ＵＳＢ接続端子と、
第３ケーブルが接続した電源用ＵＳＢ接続端子と、
で構成することを特徴とする請求項１または請求項２に記載のＵＳＢケーブル。
【請求項４】
一方の側のＵＳＢ接続端子を、
第１ケーブルが接続した第１の信号用ＵＳＢ接続端子と、
第２ケーブルが接続した第２の信号用ＵＳＢ接続端子と、
第３ケーブルが接続した電源用ＵＳＢ接続端子と、
で構成することを特徴とする請求項１または請求項２に記載のＵＳＢケーブル。
【考案の詳細な説明】
【技術分野】
【０００１】
本考案は、電子機器間で信号伝達を行うＵＳＢケーブルに関し、特にＵＳＢ３．０規格のＵＳＢケーブルに関するものである。
【背景技術】
【０００２】
近年、パーソナルコンピュータの分野のみならず、デジタルＡＶ機器等にもＵＳＢ（Ｕｎｉｖｅｒｓａｌ  Ｓｅｒｉａｌ  Ｂｕｓ）を用いた接続が広く普及している。このＵＳＢ接続は信号線と電源線とを備えており、信号の送受信のみならずホスト機器から外部機器へ電力の供給を行うことができる。
【０００３】
また、上記のようにデジタルオーディオ機器等においてもＵＳＢ接続を使用したものが商品化され、これに伴いノイズの少ないＵＳＢケーブルが求められている。この市場の要求に対し本願考案者らは信号線と電源線とを２本のケーブルに分離することでノイズの低減を図ったＵＳＢケーブルに関する下記［特許文献１］に記載の考案を行った。
【０００４】
ただし、近年、デジタルオーディオの分野においてハイレゾリューション（ハイレゾ）音源に対応したオーディオ機器が商品化されている。このハイレゾリューション音源は情報の伝達量が多く高速大容量のデータ通信が要求される。このため、従来のＵＳＢ２．０規格のＵＳＢケーブルでは対応することが難しく、より高速なＵＳＢ３．０規格の接続ケーブルが用いられる。このＵＳＢ３．０規格のＵＳＢケーブルは電源ケーブルに加え、送信用、受信用の２対の信号ケーブルを有しており、その通信速度はＵＳＢ２．０の約１０倍の最大５Ｇｂｐｓに相当する。ただし、一般的なＵＳＢ３．０のケーブルはＵＳＢ２．０との下位互換性を備えるためＵＳＢ２．０用の信号ケーブルも備えている。
【０００５】
ここで、一般的なＵＳＢ３．０規格のＵＳＢケーブル１０の構成を図４に示す。図４（ａ）に示す一般的なＵＳＢ３．０規格のＵＳＢケーブル１０は、両端のＵＳＢ３．０用のＵＳＢ接続端子２０、２２の間をＵＳＢ３．０用のケーブル１８で接続して構成される。尚、図４ではＵＳＢ接続端子２０側にＡ型のＵＳＢ接続端子を用い、ＵＳＢ接続端子２２側にＢ型のＵＳＢ接続端子を用いた例を示している。
【０００６】
そして、一般的なＵＳＢ３．０用のケーブル１８は、図４（ｂ）に示すように、ＵＳＢ２．０用の信号ケーブル１２ａ、１２ｂと、ＵＳＢ電源ケーブル１４ａ、１４ｂと、ＵＳＢ３．０用の信号ケーブル３２Ｔａ、３２Ｔｂ、３２Ｒａ、３２Ｒｂを１対ずつ有する２芯の信号ケーブル３０ａ、３０ｂと、これらのケーブルの周面を被覆するする網線のシールド線１７と、を有している。また、信号ケーブル３０ａ、３０ｂは信号ケーブル３２Ｔａ、３２Ｔｂ、３２Ｒａ、３２Ｒｂの他にシールドライン１６をそれぞれ有している。そして、信号ケーブル１２ａ、１２ｂはＵＳＢ接続端子２０、２２のＵＳＢ２．０用の信号端子Ｔ２、Ｔ３をそれぞれ接続し、ＵＳＢ電源ケーブル１４ａ、１４ｂはＵＳＢ接続端子２０、２２の電力供給端子Ｔ１、Ｔ４をそれぞれ接続し、信号ケーブル３０ａの信号ケーブル３２Ｔａ、３２ＴｂはＵＳＢ接続端子２０、２２のＵＳＢ３．０規格の信号送信用端子Ｔ５、Ｔ６をそれぞれ接続し、信号ケーブル３０ｂの信号ケーブル３２Ｒａ、３２ＲｂはＵＳＢ接続端子２０、２２のＵＳＢ３．０規格の信号受信用端子Ｔ８、Ｔ９をそれぞれ接続する。また、信号ケーブル３０ａ、３０ｂのシールドライン１６は、ＵＳＢ接続端子２０、２２のＵＳＢ３．０用シールド端子Ｔ７に接続する。さらに、ケーブル１８のシールド線１７はＵＳＢ接続端子２０、２２のコネクタシェル（シールド）と接続する。
【先行技術文献】
【特許文献】
【０００７】
【特許文献１】実用新案登録第３１６２６０１号公報
【考案の概要】
【考案が解決しようとする課題】
【０００８】
このように、従来のＵＳＢ３．０用のＵＳＢケーブル１０はケーブル１８内に、ＵＳＢ２．０用の信号ケーブル１２ａ、１２ｂと、ＵＳＢ電源ケーブル１４ａ、１４ｂと、信号ケーブル３２Ｔａ、３２Ｔｂ、３２Ｒａ、３２Ｒｂ及びシールドライン１６を有する信号ケーブル３０ａ、３０ｂとが存在し、極めてタイトな構造となっている。このような狭い空間ではケーブル間の信号の干渉を十分に防止することができない可能性が有り、特に高音質が要求されるオーディオ機器のケーブルとしては好ましいものではない。また［特許文献１］に記載の考案をＵＳＢ３．０用のＵＳＢケーブル１０に適用しようとした場合、ケーブルの本数が過多で一般的なＵＳＢ接続端子２０、２２への接続が困難であり、この点でさらなる改善が望まれる。
【０００９】
本考案は上記事情に鑑みてなされたものであり、ケーブル間の信号の干渉を低減したＵＳＢケーブルを提供することを目的とする。
【課題を解決するための手段】
【００１０】
本考案は、
（１）両端にＵＳＢ接続端子２０、２２を備えたＵＳＢ３．０用のＵＳＢケーブルにおいて、前記両端のＵＳＢ接続端子２０、２２間を、ＵＳＢ３．０用の２対の信号ケーブル３２Ｔａ、３２Ｔｂ、３２Ｒａ、３２Ｒｂをそれぞれ一対ずつ有する第１ケーブル５０ａと第２ケーブル５０ｂと、ＵＳＢ電源ケーブル１４ａ、１４ｂを有する第３ケーブル５２と、で接続し、ＵＳＢ２．０用の信号ケーブルを備えないことを特徴とするＵＳＢケーブル８０ａ、８０ｂ、８０ｃを提供することにより、上記課題を解決する。
（２）第１ケーブル５０ａと第２ケーブル５０ｂとを網線（シールド線３６）でシールドされた２芯ケーブルでそれぞれ構成し、前記網線の両端をＵＳＢ接続端子２０、２２のＵＳＢ３．０用シールド端子Ｔ７に接続することを特徴とする上記（１）記載のＵＳＢケーブル８０ａ、８０ｂ、８０ｃを提供することにより、上記課題を解決する。
（３）一方の側のＵＳＢ接続端子２０を、第１ケーブル５０ａと第２ケーブル５０ｂとが接続した信号用ＵＳＢ接続端子２０ａと、第３ケーブル５２が接続した電源用ＵＳＢ接続端子２０ｂと、で構成することを特徴とする上記（１）または（２）に記載のＵＳＢケーブル８０ｂを提供することにより、上記課題を解決する。
（４）一方の側のＵＳＢ接続端子２０を、
第１ケーブル５０ａが接続した第１の信号用ＵＳＢ接続端子２０ａ１と、
第２ケーブル５０ｂが接続した第２の信号用ＵＳＢ接続端子２０ａ２と、
第３ケーブル５２が接続した電源用ＵＳＢ接続端子２０ｂと、
で構成することを特徴とする上記（１）または（２）に記載のＵＳＢケーブル８０ｃを提供することにより、上記課題を解決する。
【考案の効果】
【００１１】
本考案に係るＵＳＢケーブルは、送信用の信号ケーブルと、受信用の信号ケーブルと、ＵＳＢ電源ケーブルとが、それぞれ個別の第１ケーブル、第２ケーブル、第３ケーブルで接続される。これにより、相互の信号干渉が低減されノイズの少ない高品質な信号伝達を行うことができる。また、本考案に係るＵＳＢケーブルではＵＳＢ２．０用の信号端子Ｔ２、Ｔ３は接続しない。これにより、接続するケーブルの本数が３本となり一般的に流通しているＵＳＢ接続端子を利用して本考案の実施が可能となる。
【図面の簡単な説明】
【００１２】
【図１】本考案に係る第１の形態のＵＳＢケーブルを示す図である。
【図２】本考案に係る第２の形態のＵＳＢケーブルを示す図である。
【図３】本考案に係る第３の形態のＵＳＢケーブルを示す図である。
【図４】従来のＵＳＢ３．０規格のＵＳＢケーブルを示す図である。
【考案を実施するための形態】
【００１３】
本考案に係るＵＳＢケーブルの実施の形態について図面に基づいて説明する。ここで、図１（ａ）は本考案に係る第１の形態のＵＳＢケーブル８０ａの全体図であり、図１（ｂ）はＵＳＢケーブル８０ａのケーブルと端子との接続構成を説明する図である。また、図２（ａ）は本考案に係る第２の形態のＵＳＢケーブル８０ｂの全体図であり、図２（ｂ）はＵＳＢケーブル８０ｂのケーブルと端子との接続構成を説明する図である。図３（ａ）は本考案に係る第３の形態のＵＳＢケーブル８０ｃの全体図であり、図３（ｂ）はＵＳＢケーブル８０ｃのケーブルと端子との接続構成を説明する図である。尚、図１〜図３ではＵＳＢ接続端子２０側にＡ型のＵＳＢ接続端子を用い、ＵＳＢ接続端子２２側にＢ型のＵＳＢ接続端子を用いた例を示すが、本考案はこの例に限定されるわけではなく、ＵＳＢ接続端子２２にＡ型のＵＳＢ接続端子を用いても良いし、ＵＳＢ接続端子２０、２２をＵＳＢ３．０用のマイクロＵＳＢ接続端子としても良い。
【００１４】
先ず、図１に示す本考案に係る第１の形態のＵＳＢケーブル８０ａは、両端にＵＳＢ３．０用のＵＳＢ接続端子２０、２２を備えており、これらＵＳＢ接続端子２０、２２間を第１ケーブル５０ａと第２ケーブル５０ｂと第３ケーブル５２とで接続して構成される。尚、第１ケーブル５０ａ、第２ケーブル５０ｂ、第３ケーブル５２は網線のシールド線３６で周面を被覆された２芯ケーブルで構成することが好ましい。特に、理論上迷走電流の発生しないＰＣＯＣＣ−Ａ単線の２芯シールド構造のケーブルを採用することが好ましく、またさらに製造限界までカーボンを配合したＣＳＦチューブを被せることがより好ましい。この構成によれば、ＣＳＦチューブと２芯シールドケーブルとによるダブルシールド効果に加え、ケーブル自体から発生する輻射ノイズのカットと電磁波吸収の効果をも得ることができる。
【００１５】
そして、第１ケーブル５０ａの２芯ケーブルは信号ケーブル３２Ｔａ、３２ＴｂとしてＵＳＢ接続端子２０、２２のＵＳＢ３．０規格の信号送信用端子Ｔ５、Ｔ６をそれぞれ接続し、シールド線３６（網線）はＵＳＢ３．０用シールド端子Ｔ７と接続する。また、第２ケーブル５０ｂの２芯ケーブルは信号ケーブル３２Ｒａ、３２ＲｂとしてＵＳＢ接続端子２０、２２のＵＳＢ３．０規格の信号受信用端子Ｔ８、Ｔ９をそれぞれ接続し、シールド線３６（網線）はＵＳＢ３．０用シールド端子Ｔ７と接続する。また、第３ケーブル５２の２芯ケーブルはＵＳＢ電源ケーブル１４ａ、１４ｂとしてＵＳＢ接続端子２０、２２の電力供給端子Ｔ１、Ｔ４をそれぞれ接続し、シールド線３６（網線）はＵＳＢ接続端子２０、２２のコネクタシェル（シールド）と接続する。
【００１６】
尚、本考案に係るＵＳＢケーブル８０ａ、８０ｂ、８０ｃではＵＳＢ２．０用の信号端子Ｔ２、Ｔ３は接続しない。これにより、接続するケーブルの本数が３本となり一般的に流通しているＵＳＢ接続端子２０、２２を利用して本考案の実施が可能となる。
【００１７】
次に、本考案に係る第２の形態のＵＳＢケーブル８０ｂの構成を図２を用いて説明する。本考案に係る第２の形態のＵＳＢケーブル８０ｂはＵＳＢ接続端子２０（電力供給機器側）が、第１、第２ケーブル５０ａ、５０ｂと接続した信号用ＵＳＢ接続端子２０ａと、第３ケーブル５２と接続した電源用ＵＳＢ接続端子２０ｂとで構成される。即ち、信号用ＵＳＢ接続端子２０ａは第１ケーブル５０ａ、第２ケーブル５０ｂを介して信号伝達のみを行い、電源用ＵＳＢ接続端子２０ｂは第３ケーブル５２を介して電力供給のみを行う。尚、図２及び後述の図３では電源用ＵＳＢ接続端子２０ｂにＵＳＢ３．０用のＵＳＢ接続端子を用いた例を示しているが、電源用ＵＳＢ接続端子２０ｂではＵＳＢ３．０用の信号端子Ｔ５〜Ｔ９は使用しないためＵＳＢ２．０用のＵＳＢ接続端子を用いても良い。
【００１８】
次に、本考案に係る第３の形態のＵＳＢケーブル８０ｃの構成を図３を用いて説明する。本考案に係る第３の形態のＵＳＢケーブル８０ｃは、第１ケーブル５０ａが第１の信号用ＵＳＢ接続端子２０ａ１と接続し、第２ケーブル５０ｂが第２の信号用ＵＳＢ接続端子２０ａ２と接続し、第３ケーブル５２が電源用ＵＳＢ接続端子２０ｂと接続して構成される。よって、第１の信号用ＵＳＢ接続端子２０ａ１は信号ケーブル３２Ｔａ、３２ＴｂによるＵＳＢ３．０規格の送信信号の伝達のみを行い、第２の信号用ＵＳＢ接続端子２０ａ２は信号ケーブル３２Ｒａ、３２ＲｂによるＵＳＢ３．０規格の受信信号の伝達のみを行い、電源用ＵＳＢ接続端子２０ｂは電力供給のみを行う。
【００１９】
次に、本考案に係るＵＳＢケーブル８０ａ、８０ｂ、８０ｃの使用方法を説明する。先ず、第１の形態のＵＳＢケーブル８０ａでは従来のＵＳＢケーブル１０と同様に、ホスト機器側のＵＳＢ３．０端子に一方のＵＳＢ接続端子（ここでは、Ａ型のＵＳＢ接続端子２０）を接続し、ＵＳＢオーディオ機器等の外部機器側のＵＳＢ３．０端子に他方のＵＳＢ接続端子（ここでは、Ｂ型のＵＳＢ接続端子２２）を接続する。これにより、外部機器は第３ケーブル５２を介してホスト機器から規定の電力供給を受ける。また、外部機器とホスト機器との間では第１ケーブル５０ａの信号ケーブル３２Ｔａ、３２Ｔｂ、及び第２ケーブル５０ｂの信号ケーブル３２Ｒａ、３２Ｒｂを介して音声信号等が送受信される。そして、外部機器は第３ケーブル５２からの電力を受けて動作し、第１ケーブル５０ａ、第２ケーブル５０ｂからの信号に応じた音声出力等の動作を行う。
【００２０】
このとき、信号ケーブル３２Ｔａ、３２Ｔｂ、信号ケーブル３２Ｒａ、３２Ｒｂ、ＵＳＢ電源ケーブル１４ａ、１４ｂは個別の第１ケーブル５０ａ、第２ケーブル５０ｂ、第３ケーブル５２でそれぞれ接続されているため、相互の信号干渉が低減されノイズの少ない高品質な信号伝達を行うことができる。また、第１ケーブル５０ａ、第２ケーブル５０ｂを別ケーブルとすることで、信号ケーブル３２Ｔａ、３２Ｔｂ及び信号ケーブル３２Ｒａ、３２Ｒｂをそれぞれ個別の網線（シールド線３６）でシールドすることができる。これによりノイズのさらなる低減が可能となり、より一層高品質な信号伝達を行うことができる。
【００２１】
また、第２の形態のＵＳＢケーブル８０ｂでは、ホスト機器側のＵＳＢ３．０端子に信号用ＵＳＢ接続端子２０ａと電源用ＵＳＢ接続端子２０ｂとを接続する。また、外部機器側のＵＳＢ３．０端子にＵＳＢ接続端子２２を接続する。これにより、外部機器は電源用ＵＳＢ接続端子２０ｂ、第３ケーブル５２を介してホスト機器から規定の電力供給を受ける。また、外部機器とホスト機器との間で信号用ＵＳＢ接続端子２０ａ、第１ケーブル５０ａ、第２ケーブル５０ｂを介して音声信号等が送受信される。そして、外部機器は第３ケーブル５２からの電力を受けて動作し、第１ケーブル５０ａ、第２ケーブル５０ｂからの信号に応じた音声出力等の動作を行う。
【００２２】
この第２の形態のＵＳＢケーブル８０ｂではケーブルに加えＵＳＢ接続端子も信号用ＵＳＢ接続端子２０ａと電源用ＵＳＢ接続端子２０ｂとに分離している。このため、ＵＳＢ電源ケーブル１４ａ、１４ｂからの悪影響をさらに低減することができる。これにより、さらに高品質な信号伝達を行うことができる。
【００２３】
また、第３の形態のＵＳＢケーブル８０ｃでは、ホスト機器側のＵＳＢ３．０端子に第１の信号用ＵＳＢ接続端子２０ａ１、第２の信号用ＵＳＢ接続端子２０ａ２、電源用ＵＳＢ接続端子２０ｂを接続する。また、外部機器側のＵＳＢ３．０端子にＵＳＢ接続端子２２を接続する。これにより、外部機器は電源用ＵＳＢ接続端子２０ｂ、第３ケーブル５２を介してホスト機器から規定の電力供給を受ける。また、第１の信号用ＵＳＢ接続端子２０ａ１、第１ケーブル５０ａを介して送信信号が伝達され、第２の信号用ＵＳＢ接続端子２０ａ２、第２ケーブル５０ｂを介して受信信号が伝達される。そして、外部機器は第３ケーブル５２からの電力を受けて動作し、第１ケーブル５０ａ、第２ケーブル５０ｂからの信号に応じた音声出力等の動作を行う。
【００２４】
この第３の形態のＵＳＢケーブル８０ｃでは、送信側の信号ケーブル３２Ｔａ、３２Ｔｂ、受信側の信号ケーブル３２Ｒａ、３２Ｒｂも個別の信号用ＵＳＢ接続端子２０ａ１、２０ａ２で接続する。このため、送受信信号間の干渉がさらに低減され、より一層高品質の信号伝達を行うことができる。
【００２５】
以上のように、本考案に係るＵＳＢケーブル８０ａ、８０ｂ、８０ｃは、送信用の信号ケーブル３２Ｔａ、３２Ｔｂと、受信用の信号ケーブル３２Ｒａ、３２Ｒｂと、ＵＳＢ電源ケーブル１４ａ、１４ｂとが、それぞれ個別の第１ケーブル５０ａ、第２ケーブル５０ｂ、第３ケーブル５２で接続される。これにより、相互の信号干渉が低減されノイズの少ない高品質な信号伝達を行うことができる。また、第１ケーブル５０ａ、第２ケーブル５０ｂを別ケーブルとすることで、信号ケーブル３２Ｔａ、３２Ｔｂ及び信号ケーブル３２Ｒａ、３２Ｒｂをそれぞれ個別の網線（シールド線３６）でシールドすることができる。これによりノイズのさらなる低減が可能となり、より一層高品質な信号伝達を行うことができる。
【００２６】
さらに、第２の形態のＵＳＢケーブル８０ｂは、ＵＳＢ接続端子も信号用ＵＳＢ接続端子２０ａと電源用ＵＳＢ接続端子２０ｂとに分離している。このため、ＵＳＢ電源ケーブル１４ａ、１４ｂからの悪影響をさらに低減することができる。これにより、さらに高品質な信号伝達を行うことができる。
【００２７】
またさらに、第３の形態のＵＳＢケーブル８０ｃは、送信側の信号ケーブル３２Ｔａ、３２Ｔｂ、受信側の信号ケーブル３２Ｒａ、３２Ｒｂも個別の信号用ＵＳＢ接続端子２０ａ１、２０ａ２で接続する。このため、送受信信号間の干渉がさらに低減され、より一層高品質の信号伝達を行うことができる。
【００２８】
尚、上記に示したＵＳＢケーブル８０ａ、８０ｂ、８０ｃの各部の形状、寸法、構成、使用するケーブル等は一例であるから、上記の例に限定されるわけでは無く、本考案は本考案の要旨を逸脱しない範囲で変更して実施することが可能である。
【符号の説明】
【００２９】
１４ａ、１４ｂ  ＵＳＢ電源ケーブル
２０、２２  ＵＳＢ接続端子
２０ａ  信号用ＵＳＢ接続端子
２０ａ１  第１の信号用ＵＳＢ接続端子
２０ａ２  第２の信号用ＵＳＢ接続端子
２０ｂ  電源用ＵＳＢ接続端子
３２Ｔａ、３２Ｔｂ  信号ケーブル
３２Ｒａ、３２Ｒｂ  信号ケーブル
３６    シールド線
５０ａ  第１ケーブル
５０ｂ  第２ケーブル
５２    第３ケーブル
８０ａ、８０ｂ、８０ｃ  ＵＳＢケーブル
【図１】
0003210501.tif 000003
【図２】
0003210501.tif 000004
【図３】
0003210501.tif 000005
【図４】
0003210501.tif 000006